【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
有機エレクトロルミネッセンス表示装置または有機エレクトロルミネッセンス照明装置の光散乱層を形成するために用いられる光散乱用樹脂組成物であって、
二重結合及び/または架橋性基を含有し、重量平均分子量（Ｍｗ）が５０００以上２００００未満である樹脂（Ａ）を少なくとも含むバインダーと、平均粒子径が２００ｎｍ以上１．０μm以下である光散乱粒子（Ｂ）を含み、
前記樹脂（Ａ）を少なくとも含むバインダーと、前記光散乱粒子（Ｂ）との屈折率差が０．１以上である、
ことを特徴とする光散乱用樹脂組成物。
【請求項２】
前記樹脂（Ａ）が、二重結合当量が４００ｇ/ｍｏｌ以上１６００ｇ/ｍｏｌ以下であることを特徴とする請求項１記載の光散乱用樹脂組成物。
【請求項３】
前記樹脂（Ａ）が、主鎖及び/または側鎖に環状骨格を含有することを特徴とする請求項１または２記載の光散乱用樹脂組成物。
【請求項４】
前記樹脂（Ａ）がアルカリ可溶性基を含有することを特徴とする請求項１〜３いずれか１項に記載の光散乱用樹脂組成物。
【請求項５】
前記バインダーが、二重結合当量が８０ｇ/ｍｏｌ以上１４０ｇ/ｍｏｌ以下であるエチレン性不飽和単量体（Ｃ）をさらに含有することを特徴とする請求項1〜４いずれか１項に記載の光散乱用樹脂組成物。
【請求項６】
前記バインダーが、が、ウレタンまたはアミド骨格を有する下記一般式で表されるシラン化合物（Ｄ）を含有する請求項１〜５のいずれか1項に記載の光散乱用樹脂組成
物。
一般式（１）：
【化１】
2013145695.tif 000001
[一般式（１）中、Ｒ1は炭素数１〜２０のアルコキシ基、炭素数６〜２０のアリールオキシ基、炭素数１〜２０のアルキル基、炭素数６〜２０のアリール基、炭素数７〜３０のアルアルキル基、または、炭素数７〜３０のアルカリール基を表し、
Ｘは炭素数１〜２０のアルキレン基、炭素数１〜２０のアリーレン基、または、炭素数１〜２０のアルコキシレン基を表し、
Ｒ2、Ｒ3およびＲ4は互いに独立して、炭素数１〜２０のアルコキシ基、炭素数６〜２０のアリールオキシ基、炭素数１〜２０のアルキル基、炭素数６〜２０のアリール基、炭素数７〜３０のアルアルキル基、炭素数７〜３０のアルカリール基、置換基を有するシロキサン、ハロゲン、ヒドロキシおよび水素を表す。]
【請求項７】
前記シラン化合物（Ｄ）が、重量平均分子量（Ｍｗ）２００以上５０００未満であり、前記シラン化合物（Ｄ）を含む光散乱用樹脂組成物の固形分１００重量％中の含有量が３重量％以上５０重量％未満であることを特徴とする請求項６に記載の光散乱用樹脂組成物。
【請求項８】
前記バインダーが、平均１次粒子径が１００ｎｍ以下の金属酸化物微粒子（Ｅ）をさらに含有することを特徴とする請求項１〜７いずれか1項に記載の光散乱用樹脂組成物。
【請求項９】
前記金属酸化物微粒子（Ｅ）が、SiO2、ZrO2、TiO2の中から選択される、少なくとも１種の金属酸化物粒子であることを特徴とする請求項８に記載の光散乱用樹脂組成物。
【請求項１０】
前記バインダーが、オキシムエステル系の光重合開始剤（Ｆ）をさらに含有することを特徴とする請求項1〜９いずれか1項に記載の光散乱用樹脂組成物。
【請求項１１】
請求項1〜１０いずれか１項記載の光散乱用樹脂組成物を用いて形成される光散乱層。
【請求項１２】
請求項１１記載の光散乱層を具備する有機エレクトロルミネッセンス表示装置。
【請求項１３】
請求項１１記載の光散乱層を具備する有機エレクトロルミネッセンス照明装置。
【手続補正２】
【補正対象書類名】明細書
【補正対象項目名】０００９
【補正方法】変更
【補正の内容】
【０００９】
本発明者らは、前記問題を解決するため、鋭意検討した結果、本発明に達した。上記課題は、二重結合及び/または架橋性基を含有し、重量平均分子量（Ｍｗ）が５０００以上２００００未満である樹脂（Ａ）を少なくとも含むバインダーと、平均粒子径が２００ｎｍ以上１．０μm以下である光散乱粒子（Ｂ）を含むみ、前記樹脂（Ａ）を少なくとも含むバインダーと、前記光散乱粒子（Ｂ）との屈折率差が０．１以上であることを特徴とする光散乱用樹脂組成物によって解決できる。
即ち、本発明は、有機エレクトロルミネッセンス表示装置または有機エレクトロルミネッセンス照明装置の光散乱層を形成するために用いられる光散乱用樹脂組成物であって、二重結合及び/または架橋性基を含有し、重量平均分子量（Ｍｗ）が５０００以上２００００未満である樹脂（Ａ）を少なくとも含むバインダーと、平均粒子径が２００ｎｍ以上１．０μm以下である光散乱粒子（Ｂ）を含み、前記樹脂（Ａ）を少なくとも含むバインダーと、前記光散乱粒子（Ｂ）との屈折率差が０．１以上であることを特徴とする光散乱用樹脂組成物に関する。
【手続補正３】
【補正対象書類名】明細書
【補正対象項目名】００１０
【補正方法】変更
【補正の内容】
【００１０】
更に、本発明は、前記樹脂（Ａ）が、二重結合当量が４００ｇ/ｍｏｌ以上１６００ｇ/ｍｏｌ以下であることを特徴とする上記光散乱用樹脂組成物に関する。
更に、本発明は、前記樹脂（Ａ）が、主鎖及び/または側鎖に環状骨格を含有することを特徴とする上記光散乱用樹脂組成物に関する。
更に、本発明は、前記樹脂（Ａ）がアルカリ可溶性基を含有することを特徴とする上記光散乱用樹脂組成物に関する。
更に、本発明は、前記バインダーが、二重結合当量が８０ｇ/ｍｏｌ以上１４０ｇ/ｍｏｌ以下であるエチレン性不飽和単量体（Ｃ）をさらに含有することを特徴とする上記光散乱用樹脂組成物に関する。
更に、本発明は、前記バインダーが、ウレタンまたはアミド骨格を有する下記一般式で表されるシラン化合物（Ｄ）を含有する上記光散乱用樹脂組成物に関する。
一般式（１）：
【化１】
2013145695.tif 000002
[一般式（１）中、Ｒ1は炭素数１〜２０のアルコキシ基、炭素数６〜２０のアリールオキシ基、炭素数１〜２０のアルキル基、炭素数６〜２０のアリール基、炭素数７〜３０のアルアルキル基、または、炭素数７〜３０のアルカリール基を表し、
Ｘは炭素数１〜２０のアルキレン基、炭素数１〜２０のアリーレン基、または、炭素数１〜２０のアルコキシレン基を表し、
Ｒ2、Ｒ3およびＲ4は互いに独立して、炭素数１〜２０のアルコキシ基、炭素数６〜２０のアリールオキシ基、炭素数１〜２０のアルキル基、炭素数６〜２０のアリール基、炭素数７〜３０のアルアルキル基、炭素数７〜３０のアルカリール基、置換基を有するシロキサン、ハロゲン、ヒドロキシおよび水素を表す。]
更に、本発明は、前記シラン化合物（Ｄ）が、重量平均分子量（Ｍｗ）２００以上５０００未満であり、前記シラン化合物（Ｄ）を含む光散乱用樹脂組成物の固形分１００重量％中の含有量が３重量％以上５０重量％未満であることを特徴とする上記光散乱用樹脂組成物に関する。
更に、本発明は、前記バインダーが、平均１次粒子径が１００ｎｍ以下の金属酸化物微粒子（E）をさらに含有することを特徴とする上記光散乱用樹脂組成物に関する。
更に、本発明は、前記金属酸化物微粒子（E）が、SiO2、ZrO2、TiO2の中から選択される、少なくとも１種の金属酸化物粒子であることを特徴とする上記光散乱用樹脂組成物に関する。
更に、本発明は、前記バインダーが、オキシムエステル系の光重合開始剤（Ｆ）をさらに含有することを特徴とする上記光散乱用樹脂組成物に関する。
更に、本発明は、上記の光散乱用樹脂組成物を用いて形成される光散乱層に関する。
更に、本発明は、上記の光散乱層を具備する有機エレクトロルミネッセンス表示装置に関する。
更に、本発明は、上記の光散乱層を具備する有機エレクトロルミネッセンス照明装置に関する。